(57)【要約】【課題】電子部品から発生したノイズが配線ケーブルに伝導しにくい構造のＬＥＤ照明装置を提供する。【解決手段】ＬＥＤ照明装置は、ＬＥＤを光源として収容する照明灯と、細長いケース内にＬＥＤの点灯を制御する電源回路１９を収容する電源ケースと、電源回路１９と照明灯とを電気的に接続する配線ケーブル１０３とを備え、ケースは長手方向に延伸する金属板６５により内部が少なくとも２分された金属筒部（１１）を有し、金属筒部（１１）の内部の一方の空間６６に電源回路１９が配され、金属筒部（１１）の内部の他方の空間６４に配線ケーブル１０３が配されている。【選択図】図３
2016197499.tif 000002
【特許請求の範囲】
【請求項１】
ＬＥＤを光源として収容する照明灯と、
細長いケース内に前記ＬＥＤの点灯を制御する電源回路を収容する電源ケースと、
前記電源回路と前記照明灯とを電気的に接続する配線ケーブルと
を備え、
前記ケースは長手方向に延伸する金属板により内部が少なくとも２分された金属筒部を有し、
前記金属筒部の内部の一方の空間に前記電源回路が配され、前記金属筒部の内部の他方の空間に前記配線ケーブルが配されている
ＬＥＤ照明装置。
【請求項２】
前記照明灯は前記電源ケースの長手方向の一端側に取り付けられ、
前記電源回路は前記長手方向に長い回路基板に複数個の電子部品が実装されてなり、
前記回路基板における前記電源ケースの長手方向の他端部が前記配線ケーブルと接続されている
請求項１に記載のＬＥＤ照明装置。
【請求項３】
前記金属筒部は金属筒体により構成され、
前記金属板は前記金属筒体と別体である
請求項２に記載のＬＥＤ照明装置。
【請求項４】
前記回路基板は、絶縁性の薄板を介して前記金属板に固定されている
請求項３に記載のＬＥＤ照明装置。
【発明の詳細な説明】
【技術分野】
【０００１】
本発明は、ＬＥＤを光源に使用したＬＥＤ照明装置に係わり、特に、天井面に配設された配線ダクトレールに取り付けられて使用されるＬＥＤ照明装置に関するものである。
【背景技術】
【０００２】
配線ダクトレールに取り付けられて使用されるＬＥＤ照明装置として、例えば商業施設や店舗において展示物や展示商品等をこれらの陰影を際立たせて効果的に照明するスポットライトがある（例えば特許文献１）。
特許文献１に開示された照明器具は、配線ダクトレールの延伸方向に長い直方体形状のケース内に電源回路を備える電源ケースと、光源部を備える照明灯と、電源ケースの長手方向の一端側に照明灯を取り付けるためのアームとを有している。電源回路は回路基板と複数個の電子部品とから構成される。回路基板はケースの形状に合せた矩形状をしている。
【先行技術文献】
【特許文献】
【０００３】
【特許文献１】特開２０１２−１４９８０号公報
【発明の概要】
【発明が解決しようとする課題】
【０００４】
上記構成の照明器具では、電源回路と照明灯とを接続する配線ケーブルをケース内に収容している。このため、電子部品から発生したノイズが配線ケーブルに伝導してしまうという問題が生じた。
本発明が解決しようとする課題は、電子部品から発生したノイズが電源回路と照明灯とを接続する配線ケーブルに伝導しにくい構造のＬＥＤ照明装置を提供することにある。
【課題を解決するための手段】
【０００５】
本発明に係るＬＥＤ照明装置は、上記の課題を解決するため、ＬＥＤを光源として収容する照明灯と、細長いケース内に前記ＬＥＤの点灯を制御する電源回路を収容する電源ケースと、前記電源回路と前記照明灯とを電気的に接続する配線ケーブルとを備え、前記ケースは長手方向に延伸する金属板により内部が少なくとも２分された金属筒部を有し、前記金属筒部の内部の一方の空間に前記電源回路が配され、前記金属筒部の内部の他方の空間に前記配線ケーブルが配されている。
【発明の効果】
【０００６】
本発明によれば電源回路と配線ケーブルとが別空間に収容される。このため、電子部品から発生したノイズが金属板で遮蔽され、配線ケーブルに乗るようなことを抑制できる。
【図面の簡単な説明】
【０００７】
【図１】実施形態に係るＬＥＤ照明装置の斜視図である。
【図２】実施形態に係るＬＥＤ照明装置を一部分解して示す斜視図である。
【図３】実施形態に係る電源ケースの第２蓋体を外した状態を後方から見た図である。
【図４】実施形態に係る電源回路の斜視図である。
【図５】実施形態に係る照明灯の分解斜視図である。
【図６】変形例に係る電源ケースの第２蓋体を外した状態を後方から見た図である。
【図７】変形例に係る金属板を示す図である。
【発明を実施するための形態】
【０００８】
本発明の一態様に係るＬＥＤ照明装置は、ＬＥＤを光源として収容する照明灯と、細長いケース内に前記ＬＥＤの点灯を制御する電源回路を収容する電源ケースと、前記電源回路と前記照明灯とを電気的に接続する配線ケーブルとを備え、前記ケースは、長手方向に延伸する金属板により内部が少なくとも２分された金属筒部を有し、前記金属筒部の内部の一方の空間に前記電源回路が配され、前記金属筒部の内部の他方の空間に前記配線ケーブルが配されている。
別態様に係るＬＥＤ照明装置において、前記照明灯は前記電源ケースの長手方向の一端側に取り付けられ、前記電源回路は前記長手方向に長い回路基板に複数個の電子部品が実装されてなり、前記回路基板における前記電源ケースの長手方向の他端部が前記配線ケーブルと接続されている。これにより電源回路を小型化できる。
別態様に係るＬＥＤ照明装置において、前記金属筒部は金属筒体により構成され、前記金属板は前記金属筒体と別体である。これにより、金属筒部の構造を簡単にできる。
別態様に係るＬＥＤ照明装置において、前記回路基板は、絶縁性の薄板を介して前記金属板に固定されている。これにより電源基板と金属板との絶縁性を確保できる。
【０００９】
＜実施形態＞
１．全体構成
図１は一実施形態に係るＬＥＤ照明器具を照明灯側から見た斜視図である。
照明装置１は、図外の配線ダクトレールに取り付けられる電源ケース３と、ＬＥＤ７１を光源として備える照明灯５とを有する。本実施形態の照明装置１は、照明灯５を電源ケース３に取り付けるためのアーム７も有する。
ここで、電源ケース３の長手方向を前後方向とし、照明灯５が存在する側を前側とする。前後方向は図外の配線ダクトレールの延伸方向と一致する。また、配線ダクトレールの設置面と平行であって前後方向と直交する方向を左右方向とし、左右は照明灯５を前後方向の後側から見た状態を基準とする。前後方向及び左右方向と直交する方向を上下方向とし、設置面側を上側とする。なお、上下方向は設置面と直交する方向であり、左右方向は上下方向と前後方向と直交する方向でもある。
【００１０】
２．電源ケース
電源ケース３は、前後方向に長い金属筒体１１と、金属筒体１１の前端（一端）を塞ぐ第１蓋体１３と、金属筒体１１の後端（他端）を塞ぐ第２蓋体１５とを有する。金属筒体１１、第１及び第２蓋体１３，１５とでケース１７が構成される。ケース１７の内部には後述の電源回路１９が収容される。
【００１１】
（１）金属筒体
主に図１及び図２を用いて説明する。
金属筒体１１の横断面形状は正方形状に近い四角形状をしている。金属筒体１１は、底壁２１、右壁２３、左壁２５及び天壁２７を有する。
天壁２７には支持プラグ３１が設けられている。支持プラグ３１はケース１７を配線ダクトレールに取り付けるための取付手段の一例である。支持プラグ３１は、配線ダクトレールに対して前後方向に移動可能に且つ設置面と直交する回転軸の廻りに回転可能にケース１７を取り付ける。
【００１２】
金属筒体１１は金属（例えばアルミニウムである。）製の例えば押出品が利用されている。金属筒体１１の底壁２１における左右方向の両端に位置する角部及び天壁２７における左右方向の両端の角部に近い部位には第１及び第２蓋体１３，１５を装着するための装着手段が設けられている。
具体的には、金属筒体１１における底壁２１と左右壁２３，２５との間に位置する角部が厚肉部３３，３５となっている。金属筒体１１における左右壁２３，２５の天壁２７に近い部位が厚肉部３７，３９となっている。厚肉部３３，３５，３７，３９にはねじ孔４０が設けられている。厚肉部３３，３５，３７，３９とねじ孔４０とが装着手段の一例に相当する。
金属筒体１１の内部は長手方向に延伸する金属板６５により２分されている。つまり、金属筒体１１の内部は、長手方向に２つの空間６４，６６を有している。金属筒体１１は、本発明の金属筒部の一例に相当する。
【００１３】
（２）第１蓋体
主に図１及び図２を用いて説明する。
第１蓋体１３は金属筒体１１の前端開口を塞ぐ機能を有する。第１蓋体１３は、例えば、照明灯５（アーム７）を電源ケース３に取り付ける機能や商用電源から受電する機能を有してもよい。
第１蓋体１３は一面（後面）が開口する箱状の支持本体４１を有する。支持本体４１の天壁には電源プラグ４３が設けられている。電源プラグ４３は配線ダクトレールの電極バーと接触して商用電力を受電する。電源プラグ４３は支持本体４１の内部で電源回路１９と配線ケーブル（図示省略）により接続されている。
【００１４】
支持本体４１は底壁にアーム７の上部を受け入れる貫通孔を有する。アーム７の上部の横断面形状は円形状をし、貫通孔も円形状をしている。これにより上下方向に延伸する軸廻りにアーム７が回転可能となる。なお、アーム７は、例えば支持本体４１内でアーム７の上部に形成されている周溝にスナップリングが嵌合することで、支持本体４１に回転自在に支持される。
支持本体４１は左右両壁の後端から左右両側に張り出す外鍔部４５を有している。外鍔部４５は金属筒体１１のねじ孔４０に対応する位置に貫通孔を有している。支持本体４１（第１蓋体１３）は外鍔部４５の貫通孔を挿通するねじ体４７により金属筒体１１に装着される。
【００１５】
（３）第２蓋体
主に図１及び図２を用いて説明する。
第２蓋体１５は金属筒体１１の後端開口を塞ぐ機能を有する。第２蓋体１５は照明灯５の輝度調整を操作する機能を有してもよい。
第２蓋体１５は傾斜状の端壁５３を備える蓋本体５１を有する。蓋本体５１は、天壁５２、端壁５３、右壁５４及び左壁５５を有する。蓋本体５１は後方から見たときに４つの角部に貫通孔５７を有する。貫通孔５７は金属筒体１１のねじ孔４０に対応して設けられている。蓋本体５１（第２蓋体１５）は貫通孔５７を挿通するねじ体（図示省略）により金属筒体１１に装着される。
端壁５３には回転（ボリューム）タイプの調整具５９が設けられている。調整具５９は輝度調整用の操作手段の一例である。調整具５９が回転操作されることで照明灯５の輝度が調整される。調整具５９は端壁５３の裏側で電源回路１９と配線ケーブル１１１を介して接続されている。
【００１６】
（４）電源回路
主に図２から図４を用いて説明する。
電源回路１９は回路基板６１と複数個の電子部品６３とを有している。言うまでもなく、電子部品６３は回路基板６１に実装されている。電源回路１９は照明灯５を点灯させるための回路を有している。電源回路１９は他の機能の回路を有してもよい。電源回路は例えば調光機能や調色機能用の回路を有してもよい。
ここでは、電源回路１９は調光機能を有している。電源回路１９は、具体的には、整流回路、平滑回路、電圧変換回路等を備えている。電圧変換することで照明灯５の輝度を調整（調光）できる。なお、電源回路１９の配線について後で詳細に説明する。
【００１７】
回路基板６１は金属筒体１１の長手方向に長い矩形状をしている。回路基板６１の長手方向の長さは金属筒体１１の長手方向の長さに略等しい。
電源回路１９は回路基板６１が金属板６５に固定された状態で金属筒体１１内に配されている。電源回路１９はその廻りが絶縁性の薄板６７により囲まれた状態で金属筒体１１内に配されている。実施形態では、電源回路１９は、絶縁性の薄板６７により囲まれた状態で金属板６５に取り付けられ、金属筒体１１内に配される。
金属板６５は回路基板６１よりも大きいことが好ましい。特に、金属板６５は回路基板６１の長手方向の長さよりも長いことが好ましい。これによりノイズ遮蔽性能が向上するからである。
【００１８】
回路基板６１の金属板６５への固定は例えばねじ体６８により行われる。回路基板６１は金属板６５との間に絶縁リング６９を介した状態で固定されている。ねじ体６８の固定個所は回路基板６１の１つの対角線上に位置する２つの角部である。
薄板６７は、絶縁リング６９と金属板６５との間に配されてもよいし、絶縁リング６９と回路基板６１との間に配されてもよい。回路基板６１の裏面で電子部品６３のリード線が半田付けされている場合を考慮すると、薄板６７は絶縁リング６９と金属板６５との間に配されるのが好ましい。
【００１９】
３．照明灯
主に図１〜図２及び図５を用いて説明する。
照明灯５は、光源である複数個のＬＥＤ７１と、複数のＬＥＤ７１が実装される実装基板７３と、実装基板７３を保持する保持部材とを有する。照明灯５はＬＥＤ７１から発せられた光を集光又は拡散させる光学部材７５を備えても良い。さらに、照明灯５はＬＥＤ７１の発光中に発生する熱を放出するためのヒートシンク７７を備えてもよい。ここでは、ヒートシンク７７が保持部材としても機能する。
照明灯５は、上記構成以外に、光学部材７５を通過した光を前方へ反射させる反射体７９やＬＥＤ７１から発せられた熱をヒートシンク７７に効率よく伝導させるための熱シート８１を備えてもよい。なお、実装基板７３は図３に示す配線ケーブル１０３と接続し、照明灯５は電源回路１９から受電する。
【００２０】
４．アーム
主に図１、図２及び図５を用いて説明する。
アーム７は前後方向に長い電源ケース３に取り付けられる。アーム７は具体的には電源ケース３の前端部に取り付けられる。正確にはアーム７は第１蓋体１３に取り付けられている。アーム７は電源ケース３に対して照明灯５の向きを調整可能に取り付ける。向きの調整は、左右方向に延伸する軸廻りの回転と上下方向に延伸する軸廻りの回転とにより行われる。
アーム７は、電源ケース３側に設けられる電源側アーム８３と、照明灯５側に設けられる照明側アーム８５との２部材により構成される。なお、照明側アーム８５を照明灯５の構成部品としてもよい。
【００２１】
電源側アーム８３は、横断面が円形状の円筒部と、横断面が矩形状の角筒部８７と、取付部８９とを有している。円筒部は、上記したように、支持本体４１の内部で上下方向の軸廻りに回転自在に支持されている。円筒部の回転を操作（規制）する操作手段８４が円筒部の下端部に設けられている。回転操作は、操作ボタン８６を押圧すると支持本体４１の底壁に形成されている凹部に係合していた係合突起が没入し、電源側アーム８３が回転可能となる。凹部は周方向に間隔を置いて複数個設けられている。
照明側アーム８５は、照明灯５に固定される固定部９１と、電源側アーム８３の取付部８９に対して左右方向に延伸する軸廻りに回転自在に取り付けられる取付部９３とを有している。取付部９３は、左右方向から挿入されるねじ体９５によりねじ軸廻りに回転自在に固定される。
【００２２】
５．電源ケース内の電源回路
（１）配線
配線について、図３及び図４を用いて説明する。
矩形状の回路基板６１の長手方向の前端部には商用電源側に接続する配線ケーブル１０１が接続される。回路基板６１の長手方向の後端部には照明灯５に接続する配線ケーブル１０３が接続される。なお、接続は、配線ケーブル１０１，１０３の端部に設けられたコネクタ１０４，１０５が回路基板６１に設けられたターミナル１０７，１０９に装着することで行われる。
回路基板６１の長手方向の後端部にはターミナル１１５が設けられている。ターミナル１１５には輝度を調節する調整具５９と接続される配線ケーブル１１１のコネクタ１１３が装着される。
【００２３】
（２）固定
図３及び図４に示すように、電源回路１９は金属板６５に固定された状態で金属筒体１１内に収容されている。
金属板６５は回路基板６１と同じ形状をし、回路基板６１よりも大きい。金属板６５の短手方向の寸法は金属筒体１１の右壁２３と左壁２５との間隔に等しい。金属板６５は金属筒体１１の右壁２３及び左壁２５に形成されている溝１２１，１２３に挿入されている。
溝１２１は右壁２３の凸部１２５と角部の厚肉部３３との間で形成される。溝１２３は左壁２５の凸部１２７と角部の厚肉部３５との間で形成される。溝１２１，１２３は金属板６５の厚みに対応している。これにより、金属筒体１１の内部で電源回路１９が上下・左右方向に移動するのを防止できる。
金属板６５の長さは金属筒体１１の両端を塞ぐ第１及び第２蓋体１３，１５間の距離に相当している。これにより、金属筒体１１の内部で電源回路１９が前後方向に移動するのを防止できる。
【００２４】
（３）絶縁性
図３及び図４に示すように、電源回路１９は絶縁性の薄板６７により囲まれた状態で金属板６５に固定されて金属筒体１１内に収容されている。これにより電源回路１９の絶縁性が確保できる。
薄板６７は、図３に示すように、右壁６７ａ、底壁６７ｂ、左壁６７ｃ及び天壁６７ｄを有する横断面形状が四角形状に近い形状をしている。ここでは、四角形において天壁６７ｄと右壁６７ａとを連結して構成される角部がないような形状をしている。
薄板６７は樹脂材料により構成されている。薄板６７は一枚の板を折り曲げて四角筒状に形成されている。薄板６７は、それ自身で形状を維持できるものの、角部で９０[°]よりも広がる傾向にある。このため、薄板６７が電子部品６３側に近づくおそれがなく、電子部品６３を傷つけることがない。
【００２５】
薄板６７は一枚の板を折り曲げて四角筒状に形成されている。このため、薄板６７の左壁６７ｃ及び天壁６７ｄが電源回路１９と反対側に広がろうとする。しかしながら、四角筒状をした薄板６７の天壁６７ｄが金属筒体１１の天壁２７のリブ１２９と当接するように薄板６７は折り曲げられている。このため、左壁６７ｃ及び天壁６７ｄが外側に広がるのを防止できる。
【００２６】
（４）ノイズ
金属筒体１１の角部にはねじ孔４０が形成された厚肉部３３，３５を有している。このため、金属板６５と底壁２１との間に空間６４が形成され、金属板６５と左右壁２３，２５と天壁２７との間に空間６６が形成される
電源回路１９は空間６６に配される。電源回路１９と照明灯５とを接続する配線ケーブル１０３は空間６４を通って電源ケース３の外部へと導出される。
これにより、電源回路１９で発生するノイズは金属板６５により遮蔽される。従って空間６４に配された配線ケーブル１０３にノイズが乗るおそれを少なくできる。
【００２７】
＜変形例＞
以上、実施形態に係る照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００２８】
１．照明装置
（１）全体
照明装置１は電源ケース３と照明灯５とを備えればよい。つまり、照明装置は、アーム７を介して照明灯５を備えても良いし、電源ケースに直接照明灯を備えてもよい。
【００２９】
（２）電源ケース
電源ケース３はアーム７を取り付ける機能を第１蓋体１３に持たせたが、金属筒体に持たせてもよい。電源ケース３は、受電手段（電源プラグ４３）を第１蓋体１３に有していたが、金属筒体に有してもよいし、第２蓋体に有してもよい。
電源ケース３は支持プラグ３１を金属筒体１１の天壁２７に有していたが、金属筒体の左右壁の一方に有してもよい。
電源回路１９は調光用の回路（調光回路）を有し、電源ケース３は調光を調整する調整具５９を有している。しかしながら、電源回路は調光回路を有しなくてもよい。また、電源回路１９は、調色用の回路（調色回路）を有していないが、調色回路を有し、電源ケースは調色を調整する調整具を有してもよい。また、電源回路は調光回路と調色回路とを有し、電源ケースはこれらの調整具を有してもよい。
【００３０】
ケース１７は、長手方向の両端が開口する金属筒体１１と、金属筒体１１の開口を塞ぐ第１及び第２蓋体１３，１５とを有する構造をしている。つまり、金属筒部は金属筒体１１により構成されている。
しかしながら、金属筒部は、内部に電源回路と配線ケーブルとを別々に収容できる筒状構造を有すればよく、実施形態の構造に限定するものでない。例えば、金属筒部は、天壁に相当する部分が開口する細長い箱状をする金属箱体と、金属箱体の開口を塞ぐ蓋体とを有する筒状構造であってもよい。また、金属筒部は２つの金属筒体を結合させてなる筒状構造であってもよい。つまり、金属筒部は内部に電源回路と配線ケーブルとを別々に収容できる空間を有すればよく、その構造、形状は特に限定されない。
【００３１】
また、金属筒部は内部に３以上の空間を有してもよい。１つの空間には電源回路が収容され、他の１つの空間には電源回路と照明灯とを接続する配線ケーブルが収容され、残りの１つの空間には電源回路と商用電源（電源プラグ）とを接続する配線ケーブルが収容されてもよい。
また、金属筒部の１つの空間は、電源回路と照明灯とを接続する配線ケーブル以外に電源回路と商用電源（電源プラグ）とを接続する配線ケーブルを収容してもよい。
【００３２】
（３）金属筒体
金属筒体１１は、金属板６５を別体で備えているが、金属板を一体に備えてもよい。
図６は変形例に係る電源ケースの第２蓋体を外した状態を後方から見た図である。
金属筒体２０１は電源回路収容空間２０３と配線ケーブル配置空間２０５を有する。電源回路収容空間２０３と配線ケーブル配置空間２０５との間には仕切り壁（本発明の金属板の一例に相当する。）２０７が存在する。金属筒体２０１として例えば押出品を利用することができる。
電源回路１９は、回路基板２１１の短手方向の両端が金属筒体２０１の右壁２１３の溝２１５及び左壁２１７の溝２１９に挿入されることで、金属筒体２０１に固定される。
なお、仕切り壁２０７は回路基板２１１における電子部品が実装されている側と反対側（底壁側）に設けられているが、例えば、左壁、右壁及び天壁側に設けられてもよい。
【００３３】
（４）蓋体
実施形態の第１及び第２蓋体１３，１５の材料については金属であってもよいし、樹脂であってもよい。蓋体にアームを保持する機能を持たせる場合は金属により構成するのが好ましい。なお、第１及び第２蓋体を金属材料で構成すると、ノイズの漏れを抑制することができる。
【００３４】
２．金属板
金属板６５は矩形状をしていたが、例えば短辺側に切欠きを有するような形状であってもよい。なお、切欠きは配線ケーブル（１０３）を金属板の裏側に導入するのに利用できる。
図７は変形例に係る金属板を示す図である。
金属板２５１は同図（ａ）に示すように矩形状の切欠き２５３を長手方向両側に有している。切欠き２５３は金属板２５１の１つの対角線上の角部に相当する部位に設けられている。
【００３５】
金属板２６１は同図（ｂ）に示すように半円状の切欠き２６３を短辺に有している。切欠き２６３は短辺の中央部位に設けられているが他の部位であってもよい。
金属板２７１は同図（ｃ）に示すように三角形状の切欠き２７３を長手方向両側に有している。切欠き２７３は金属板２５１の短手方向の同じ側の角部に相当する部位に設けられている。
【符号の説明】
【００３６】
１    照明装置
３    電源ケース
５    照明灯
７    アーム
１１    金属筒体
１９    電源回路
６１    回路基板
６３    電子部品
６４    空間
６５    金属板
６６    空間
６７    薄板
１０３    配線ケーブル
【図１】
2016197499.tif 000003
【図２】
2016197499.tif 000004
【図３】
2016197499.tif 000005
【図４】
2016197499.tif 000006
【図５】
2016197499.tif 000007
【図６】
2016197499.tif 000008
【図７】
2016197499.tif 000009